(57)【特許請求の範囲】
【請求項１】
浴槽本体の側壁部に浴水の吸込口装置を取り付け、浴水を循環ポンプにより循環配管を通じて循環させた上、空気とともに気泡水流として該浴槽本体の側壁部に設けた噴射口装置により該浴槽本体内部に噴射するようになした気泡水流噴射浴槽において、
前記浴槽本体の内面側で前記吸込口装置の吸込口を覆うようにカバー部材を該吸込口装置に取り付けて、該カバー部材に、下向きに延出する形態で前記吸込口からの空気の吸込みを防ぐ鍔部を設けるとともに、前記吸込口装置と噴射口装置とを吸込・噴射口装置として一体に構成して、該噴射口装置の噴射口を前記カバー部材から浴槽本体内部に向けて露出させ、
更に前記カバー部材には前記吸込・噴射口装置の上部の被係合部と下部の被係合部とに係合する上部の係合爪と下部の係合爪とを設けてそれらの係合により該カバー部材を該吸込・噴射口装置に取り付けるように成し、且つ該上部の係合爪の係合量が下部の係合爪の係合量よりも大きくなるようにそれら係合爪の形状を定めてあることを特徴とする気泡水流噴射浴槽。
【発明の詳細な説明】
【０００１】
【発明の属する技術分野】
この発明は浴水を空気とともに気泡水流として勢い良く噴射する気泡水流噴射浴槽に関し、詳しくは浴槽本体内部の構造に特徴を有するものに関する。
【０００２】
【従来の技術】
従来、浴槽本体の側壁部に設けた吸込口装置から浴水を吸い込み、循環ポンプにより循環配管を通じて外部循環させた上、浴槽本体の側壁部に設けた噴射口装置から空気とともに気泡水流として勢い良く浴槽本体内部に噴射するようになした気泡水流噴射浴槽が広く用いられている。
【０００３】
而してこの気泡水流噴射浴槽として、吸込口装置と噴射口装置とを図６に示しているように一体の吸込・噴射口装置２００として構成したものが知られている。
尚同図中２０２は循環ポンプ、２０４は循環配管、２０６は浴槽本体で、２０８はその側壁部を示している。
【０００４】
図７は上記一体構成の吸込・噴射口装置２００を拡大して示したものである。
同図において２１０は円形のカバー部材であって周壁部に多数の開口２１２が設けられている。
浴槽本体２０６内部の浴水はこれら開口２１２を通じてその内側の吸込口（図示省略）へと吸い込まれる。吸い込まれた浴水は更に循環ポンプ２０２により循環配管２０４を通じ外部循環させられた上、吸気口２１４から吸入された空気とともにノズル２１６から浴槽本体２０６内部に気泡水流として勢い良く噴射される。
【０００５】
一方、これとは別に図８に示しているように浴槽本体２０６の底部２１８に複数の噴気口２２０を設け、空気ポンプ２２２にてそれら噴気口２２０から空気のみ噴き出させて浴水中に泡を生ぜしめるようになした気泡浴槽も用いられている。
【０００６】
【発明が解決しようとする課題】
ところで、図６に示す気泡水流噴射浴槽に図８に示すような泡噴出装置を併せて備え付けた場合、以下のような問題を生じることがある。
即ち、浴槽本体２０６の底部２１８から上向きに噴き出された空気の泡が気泡水流噴射装置の吸込口装置から吸い込まれてしまうといった問題を生ずるのである。
吸込口装置がこのような空気の泡を吸い込んでしまうと循環ポンプ２０２が一時的に空回りしてしまい、このとき安全装置が働いて循環ポンプ２０２を停止させてしまうといった不都合が生じる。
【０００７】
通例気泡水流噴射装置には循環ポンプ２０２の空回りを検知し、これにより循環ポンプ２０２を緊急停止させる安全装置が備えられている。
この安全装置は、吸込口装置にタオルや人体の一部等が吸い付けられたときに循環ポンプ２０２を緊急停止させて危険を回避するために設けられているものであるが、噴気口２２０からの空気が吸込口装置を通じて循環ポンプ２０２に吸い込まれると異常が発生したものと誤判定して、循環ポンプ２０２を停止させてしまうのである。
【０００８】
またこの他、特に吸込口装置と噴射口装置とが一体の吸込・噴射口装置２００として構成されている気泡水流噴射浴槽の場合、その吸込・噴射口装置２００から噴射された気泡水流の泡が入浴者の背中等に当って跳ね返り、これが再び吸込・噴射口装置２００に吸い込まれてしまって、同様に誤ってポンプ停止を招いてしまうといった不都合を生じる恐れがある。
【０００９】
【課題を解決するための手段】
本発明の気泡水流噴射浴槽はこのような課題を解決するために案出されたものである。
而して請求項１のものは、浴槽本体の側壁部に浴水の吸込口装置を取り付け、浴水を循環ポンプにより循環配管を通じて循環させた上、空気とともに気泡水流として該浴槽本体の側壁部に設けた噴射口装置により該浴槽本体内部に噴射するようになした気泡水流噴射浴槽において、前記浴槽本体の内面側で前記吸込口装置の吸込口を覆うようにカバー部材を該吸込口装置に取り付けて、該カバー部材に、下向きに延出する形態で前記吸込口からの空気の吸込みを防ぐ鍔部を設けるとともに、前記吸込口装置と噴射口装置とを吸込・噴射口装置として一体に構成して、該噴射口装置の噴射口を前記カバー部材から浴槽本体内部に向けて露出させ、更に前記カバー部材には前記吸込・噴射口装置の上部の被係合部と下部の被係合部とに係合する上部の係合爪と下部の係合爪とを設けてそれらの係合により該カバー部材を該吸込・噴射口装置に取り付けるように成し、且つ該上部の係合爪の係合量が下部の係合爪の係合量よりも大きくなるようにそれら係合爪の形状を定めてあることを特徴とする。
【００１０】
【作用及び発明の効果】
上記のように請求項１のものは、吸込口を覆うカバー部材に、吸込口からの空気の吸込みを防ぐ鍔部を下向きに延出する形態で設けるとともに、そのカバー部材に上部の係合爪と下部の係合爪とを設け、それらを吸込・噴射口装置の上部の被係合部と下部の被係合部とに係合させることによって、カバー部材を吸込・噴射口装置に取り付けるようになし、且つ上部の係合爪の係合量を下部の係合爪の係合量よりも大きくなしたものである。
【００１１】
本発明に従ってカバー部材に下向きの鍔部を設けた場合、その鍔部と浴槽本体の側壁部内面との間に入浴者の手や足等の身体の一部が入り込んでしまう可能性がある。
この場合において、係合爪と被係合部との係合によりカバー部材を吸込・噴射口装置に取り付けておくことにより、更には下部の係合爪の係合量を上部の係合爪の係合量よりも小さくしておくことで、てこの原理によりカバー部材が吸込・噴射口装置から簡単に外れるようになすことができ、手や足等身体の一部が鍔部と側壁部との間に挟み込まれてしまうのを防止できる。
【００１２】
尚このようにカバー部材に下向きに延出する形態で鍔部を設けておいた場合、入浴者が気泡水流を足等に当てようとしたときその足によって鍔部が側壁部側に押し込まれることがある。
この場合において本発明のカバー部材は、上部の係合爪の係合量が下部の係合爪の係合量よりも大きくされているため、カバー部材が吸込・噴射口装置から簡単に外れてしまうのを防止できる。
【００１３】
【実施例】
次に本発明の実施例を図面に基づいて詳しく説明する。
図１は本例の気泡水流噴射浴槽の概略全体構成を示したものである。
同図において１０は浴槽本体で、１２はその側壁部、１４は底部である。
側壁部１２には、浴水の吸込口装置と気泡水流の噴射口装置とが一体に構成して成る吸込・噴射口装置１６が取り付けてあり、その吸込・噴射口装置１６に対して循環配管１８が接続されている。
循環配管１８上には循環ポンプ２０が設けてある。
【００１４】
この例において、浴槽本体１０内部の浴水は吸込・噴射口装置１６から吸い込まれた上、循環ポンプ２０により循環配管１８を通じて外部循環させられて吸込・噴射口装置１６へと戻され、そこから空気とともに気泡水流として浴水内に勢い良く噴射される。
尚吸込・噴射口装置１６は、図１（Ｂ）に示しているように同一の側壁部１２に左右方向に所定間隔を隔てて一対設けられている。
【００１５】
浴槽本体１０の底部１４にはまた、複数の噴気口２２が設けられている。
これら噴気口２２は空気管２４を通じて空気ポンプ２６と接続されており、その空気ポンプ２６により複数の噴気口２２から浴水中に空気の泡が噴き出されるようになっている。
尚、図１（Ｂ）に示しているように吸込・噴射口装置１６に最も近接した端部の噴気口２２は、それら一対の吸込・噴射口装置１６に対し正面位置（側壁部１２の内面に向って）に位置している。
【００１６】
上記吸込・噴射口装置１６の具体的構成が図２に詳しく示してある。
同図において３０はその本体部で、この本体部３０は側壁部１２の外側に配置される外側部材３２と、浴槽本体１０の内側から取付孔３３に挿通される円筒部材３４とを有している。
【００１７】
円筒部材３４の外周面には雄ねじが形成されており、その雄ねじに対して外側部材３２の雌ねじがねじ結合され、それらのフランジ３６，３８において側壁部１２を内外両側からパッキンを介して締め付ける状態で側壁部１２に固定されている。
【００１８】
円筒部材３４にはまた、小径の円筒部４０を有するノズルホルダ４２が側壁部１２の内側において嵌め込まれており、そのノズルホルダ４２の球面ソケット部４４においてフロントノズル（気泡水流噴射ノズル）４３が上下左右に一定角度回転可能に保持されている。
【００１９】
この円筒部材３４には、側壁部１２の内側に形成されたフランジ３６の外周面且つ上部（上端部）に被係合溝（被係合部）４６が、また下部に被係合溝（被係合部）４８が形成されている。
尚下部の被係合溝４８は周方向に所定間隔隔てた２箇所に形成されている。
またノズルホルダ４２には外筒部５０が設けられており、その外筒部５０に浴水の吸込口５２が形成されている。
【００２０】
浴槽本体１０内部の浴水は、この吸込口５２から吸い込まれて通路５４を流通し、流出側の配管接続部５６を通じて外部の循環配管１８へと流出する。
外側部材３２には、流入側の配管接続部５８が形成されており、前述の循環ポンプ２０から循環配管１８を通じて送出された浴水が、この流入側の配管接続部５８を通じて吸込・噴射口装置１６内に流入させられるようになっている。
【００２１】
吸込・噴射口装置１６内部に流入した浴水は、内部通路６０を流通してリヤノズル（水流噴射ノズル）６２へと到り、そこから図２中右向きに勢い良く噴射される。
このときリヤノズル６２近傍において負圧が生じ、その負圧に基づいて吸気口６４から空気が吸入され、リヤノズル６２から噴射された水流が気泡とともにフロントノズル４３から浴槽本体１０内に向けて気泡水流として勢い良く噴射される。
尚この吸込・噴射口装置１６の構造は１つの例を示したもので、これを他の構造とすることも勿論可能である。
【００２２】
本例の吸込・噴射口装置１６には、浴槽本体１０の側壁部１２の内面においてカバー部材６６が吸込口５２を覆うようにして装着されている。
図３及び図４はそのカバー部材６６の具体的構成を詳しく示している。
それらの図に示しているようにカバー部材６６は、上側の本体部６８とその本体部６８から下向きに延出した形態の鍔部７０とから成っている。
【００２３】
本体部６８は円筒形状の周面部７２と前面部７４とを有しており、その前面部７４の中心部には上記フロントノズル４３を通すための中心孔７６が形成されている。
一方鍔部７０は、左右一対の側面部７８と前面部８０とを有している。
【００２４】
また左右一対の側面部７８は、図２，図３（Ｂ），図５に示しているように浴槽本体１０の側壁部１２側の端面が傾斜面８４とされており、鍔部７０と側壁部１２内面との間に浴水を通すための隙間８６（図２及び図５参照）を形成している（図中８２は湾曲面）。
【００２５】
上記本体部６８における円筒形状の周面部７２は、図２に示しているように上記ノズルホルダ４２の外筒部５０よりも大径とされており、それらの間に環状の隙間が形成されている。
この本体部６８の周面部７２には、詳しくは鍔部７０にて囲まれた下部の位置には円弧状の開口８８が形成されている。この開口８８にはメッシュ９０が張設されている。
上記隙間８６から吸入された浴水は、この開口８８を通じて上記の吸込口５２へと吸入される。
【００２６】
上記本体部６８における周面部７２の内周面には、前記上部の被係合溝４６と下部の被係合溝４８とに対応する位置において上部の係合爪９２と下部の一対の係合爪９４とが内向きに設けられている。
本例において、カバー部材６６はそれら係合爪９２，９４と被係合溝４６，４８との係合によって吸込・噴射口装置１６に取り付けられている。
【００２７】
ここで上部の係合爪９２は、下部の一対の係合爪９４に対して大きく形成されており、またこれに対応して上部の被係合溝４６は下部の被係合溝４８に対して溝の深さ及び周方向長さが大きくされている。
即ち上部の被係合溝４６に対する上部の係合爪９２の係合量（噛込量）が、下部の被係合溝４８に対する下部の係合爪９４のそれよりも大きくされている。
【００２８】
本例の気泡水流噴射浴槽の場合、底部１４の噴気口２２からの泡が吸込口５２に吸い込まれるのを効果的に防止することができる。
カバー部材６６の下向きの鍔部７０が同下端部と側壁部１２内面との間の隙間からの浴水及び泡の吸入を阻止し、側面位置から浴水を吸入するようにしているからである。
【００２９】
浴槽本体１０の底部１４から上向きに噴き出された空気はそのまま浴水中を上昇移動することから、本例に従い側面位置から浴水を吸入するようにすれば、泡を吸込口５２に吸い込んでしまうのを有効に防止できるのである。
これにより循環ポンプ２０を吸込口５２から吸い込んだ泡によって誤って緊急停止させてしまう不都合を回避できる。
【００３０】
吸込口装置と噴射口装置とを吸込・噴射口装置１６として一体に構成してある場合、その吸込・噴射口装置１６から噴出された気泡水流が入浴者の背中等に当って跳ね返りこれを同一の吸込・噴射口装置１６により吸い込んでしまう恐れがあるが、本例では上記の理由によりこうした不都合を効果的に回避できる。
【００３１】
また本例では鍔部７０と浴槽本体１０の側壁部１２内面との間に隙間８６を形成しているため、隙間８６を大きく形成でき、浴水を良好に吸込口５２から吸入することができる。
【００３２】
尚本例のようにカバー部材６６に下向きの鍔部７０を設けた場合、その鍔部７０と浴槽本体１０の側壁部１２内面との間に入浴者の手や足等の身体の一部が入り込んでしまう可能性がある。
この場合において本例では係合爪９２，９４と被係合溝４６，４８との係合によりカバー部材６６を吸込・噴射口装置１６に取り付け、且つ下部の係合爪９４の係合量を上部の係合爪９２の係合量よりも小さくしていることから、てこの原理によりカバー部材６６が吸込・噴射口装置１６から簡単に外れ、手や足等身体の一部が鍔部７０と側壁部１２との間に挟み込まれるのを防止できる。
【００３３】
一方において入浴者が気泡水流を当てようとして足を伸ばし、誤って鍔部７０を側壁部１２側に押してもカバー部材６６は容易には外れない。
カバー部材６６は上部の係合爪９２の係合量が下部の係合爪９４の係合量よりも大きくされているため、簡単には吸込・噴射口装置１６から外れないのである。
【００３４】
尚、図４に二点鎖線で示しているように鍔部７０の下端部裏面に左右方向に所定長さを有する弾性パッキン９６を取り付けておき、この弾性パッキン９６を側壁部１２の内面に密着させるようにしても良い。
このようにした場合、鍔部７０の下端部と側壁部１２内面との間を確実に閉鎖状態とでき、上向きに上昇する泡を同隙間から吸い込んでしまうといったことを更に確実に防止することができる。
【００３５】
以上本発明の実施例を詳述したがこれはあくまで一例示であり、本発明はその主旨を逸脱しない範囲において種々変更を加えた形態で構成可能である。
【図面の簡単な説明】
【図１】本発明の一実施例である気泡水流噴射浴槽を示す図である。
【図２】図１における吸込・噴射口装置をカバー部材とともに拡大して示す要部断面図である。
【図３】図２におけるカバー部材の構成を示す図である。
【図４】同じ実施例のカバー部材を示す斜視図である。
【図５】同じ実施例のカバー部材の作用説明図である。
【図６】従来の気泡水流噴射浴槽の説明図である。
【図７】図６における吸込・噴射口装置とその周辺部を示す要部拡大図である。
【図８】浴槽本体底部から泡を噴き出す泡噴出装置を浴槽とともに示す図である。
【符号の説明】
１０  浴槽本体
１２  側壁部
１４  底部
１６  吸込・噴射口装置
１８  循環配管
２０  循環ポンプ
２２  噴気口
４６，４８  被係合溝（被係合部）
５２  吸込口
６６  カバー部材
７０  鍔部
８４  傾斜面
８６  隙間
９２，９４  係合爪
９６  弾性パッキン
【図１】
0003634179.tif 000002
【図２】
0003634179.tif 000003
【図３】
0003634179.tif 000004
【図４】
0003634179.tif 000005
【図５】
0003634179.tif 000006
【図６】
0003634179.tif 000007
【図７】
0003634179.tif 000008
【図８】
0003634179.tif 000009